(57)【要約】【課題】ファイバスタブとプラグフェルールとの光軸のずれを抑え、光損失を抑えた光レセプタクル及びその光レセプタクルを用いた光レセプタクルモジュールを提供する。【解決手段】光レセプタクルが、割スリーブと、フェルールの中心を通る貫通孔に第一光ファイバが挿入されて固定されたファイバスタブとを備えている。割スリーブは、割スリーブの第一の端面から、ファイバスタブを割スリーブの長さ方向に第一の距離まで嵌合し、割スリーブの第二の端面から、フェルールの中心を通る貫通孔に第二光ファイバが挿入されて固定されたプラグフェルールを割スリーブの長さ方向に第二の距離まで嵌合すると、第一の距離を第二の距離で除した値が、１．２から１．６の範囲となるように割スリーブの長さを定めた割スリーブである。【選択図】図２
2008077063.tif 000002
【特許請求の範囲】
【請求項１】
割スリーブと、フェルールの中心を通る貫通孔に第一光ファイバが挿入されて固定されたファイバスタブとを具備し、
前記割スリーブは、前記割スリーブの第一の端面から、前記ファイバスタブを前記割スリーブの長さ方向に第一の距離まで嵌合し、前記割スリーブの第二の端面から、フェルールの中心を通る貫通孔に第二光ファイバが挿入されて固定されたプラグフェルールを前記割スリーブの長さ方向に第二の距離まで嵌合すると、前記第二の距離を前記第一の距離で除した値が、１．２から１．６の範囲となるように前記割スリーブの長さを定めた前記割スリーブである光レセプタクル。
【請求項２】
前記割スリーブは、前記第一の距離を前記ファイバスタブ直径で除した値が、１．３以上となるように前記割スリーブの長さを定めた前記割スリーブである請求項１に記載の光レセプタクル。
【請求項３】
請求項１又は２に記載の光レセプタクルと、電気を光に変換して光を発する発光素子とを備え、前記光レセプタクルと前記発光素子が結合した光レセプタクルモジュール。
【請求項４】
請求項１又は２に記載の光レセプタクルと、光を電気に変換して電気を起こす受光素子とを備え、前記光レセプタクルと前記受光素子が結合した光レセプタクルモジュール。
【請求項５】
割スリーブと、フェルールの中心を通る貫通孔に第一光ファイバが挿入されて固定されたファイバスタブとを具備し、
前記割スリーブは、前記割スリーブの第一の端面から、前記ファイバスタブを前記割スリーブの長さ方向に第一の距離まで嵌合し、前記割スリーブの長さを前記第一の距離で除した値が、２．３から２．９の範囲となるように前記割スリーブの長さを定めた前記割スリーブである光レセプタクル。
【請求項６】
前記割スリーブは、前記第一の距離を前記ファイバスタブ直径で除した値が、１．３以上となるように前記割スリーブの長さを定めた前記割スリーブである請求項５に記載の光レセプタクル。
【請求項７】
前記ファイバスタブの直径が1.25mmであり、前記割スリーブの長さが5.2mmである
請求項５または６に記載の光レセプタクル。
【請求項８】
請求項５ないし７に記載の光レセプタクルと、電気を光に変換して光を発する発光素子とを備え、前記光レセプタクルと前記発光素子が結合した光レセプタクルモジュール。
【請求項９】
請求項５ないし７に記載の光レセプタクルと、光を電気に変換して電気を起こす受光素子とを備え、前記光レセプタクルと前記受光素子が結合した光レセプタクルモジュール。
【発明の詳細な説明】
【技術分野】
【０００１】
本発明は、光ファイバ通信に用いる光レセプタクルの構造、もしくは、その光レセプタクルと発光素子もしくは受光素子を結合した光レセプタクルモジュールに関する。
【背景技術】
【０００２】
近年、インターネットの普及と通信データの大容量化に伴い、光通信網が拡張している。特に光ファイバを用いた高速通信は、各家庭へのＦＴＴＨ（Ｆｉｂｅｒ  Ｔｏ  Ｔｈｅ  Ｈｏｍｅ）だけでなく、データストレージ分野においてもギガビットイーサネット（登録商標）（ＧｂＥ）及び１０ギガビットイーサネット（登録商標）（１０ＧｂＥ）として、急激に市場に浸透してきている。これらの光ファイバ通信においては、光コネクタプラグを挿し抜きする機能を持つ光レセプタクルモジュールが採用されている。例えば、２．５Ｇｂｐｓ（ｇｉｇａ  ｂｉｔｓ  ｐｅｒ  ｓｅｃｏｎｄ）以下の通信容量では、ＳＣコネクタを用いたＧＢＩＣモジュールや、より小型のＬＣコネクタを用いたＳＦＰ（Ｓｍａｌｌ  Ｆｏｒｍ  Ｆａｃｔｏｒ  Ｐｌｕｇｇａｂｌｅ）モジュールが用いられ、１０Ｇｂｐｓの通信容量では、ＳＣコネクタを用いたＸＥＮＰＡＫや、ＬＣコネクタを用いたＸＦＰモジュールが用いられる。ＳＣコネクタは、ＪＩＳ  Ｃ５９７３  Ｆ０４、ＩＥＣ  ６１７５４−４で規格化されており、光ファイバが挿入されているプラグフェルール直径が２．５ｍｍ、ＬＣコネクタはＩＥＣ  ６１７５４−２０、ＴＩＡ／ＥＩＡ−６０４−１０−Ａで規格化されており、光ファイバが挿入されているプラグフェルール直径は１．２５ｍｍである。
【０００３】
光レセプタクルモジュールは、電気を光に変換して光を発する発光素子に相当する半導体レーザまたは光を電気に変換して電気を起こす受光素子と光レセプタクルとにより構成されている。光レセプタクルは、光ファイバが内蔵されたコネクタと発光素子もしくは受光素子とを結合する役目を果たす。
【０００４】
図１は、従来の光レセプタクル４を示す断面図である。光レセプタクル４は、レセプタクルホルダー１０、割スリーブ８、ファイバスタブ２から構成されている。割スリーブ８にはファイバスタブ２が嵌合されるが、その嵌合される側の反対側から、プラグフェルール６が挿し抜きされる。レセプタクルホルダー１０は、割スリーブ８、ファイバスタブ２、プラグフェルール６を包み込むような形状を有しているが、実際は分割された構造を有している。
【０００５】
割スリーブ８は、ジルコニア等の材料で作られる。図３に割スリーブ８の外観斜視図を示すが、割スリーブ８は、円筒形でスリット部８ａを有している。
【０００６】
ファイバスタブ２は、フェルール２ｂの中心にあけられた貫通孔に、石英等をコア材として作られた光ファイバ２ａを挿入して固定したものである。フェルール２ｂは、ジルコニア等の材料で作られている。また、ファイバスタブ２は、一方の端面が斜め研磨処理面２ｃで、他方の端面はＰＣ（ｐｈｙｓｉｃａｌ  ｃｏｎｔａｃｔ）研磨処理面２ｄを有している。
【０００７】
プラグフェルール６は、フェルール６ｂの中心にあけられた貫通孔に光ファイバ６ａを挿入して固定したものである。フェルール６ｂは、ファイバスタブ２のフェルール２ｂと同様にジルコニア等の材料で作られている。また、光ファイバ６ａは、石英等をコア材として作られたものである。
【０００８】
光レセプタクル４は、以下のようにして組み立てられる。まず、ファイバスタブ２は、分割されているレセプタクルホルダー１０のうちの一部のレセプタクルホルダー１０に圧入される。その際のレセプタクルホルダー１０とファイバスタブ２は、圧入面１２で嵌合し、その嵌合長はＬ１である。
【０００９】
次に、割スリーブ８が、ファイバスタブ２に嵌合される。その嵌合長は、Ｌ２である。さらに、ファイバスタブ２を嵌合したレセプタクルホルダー１０の一部が、レセプタクルホルダー１０の残りに圧入されて、光レセプタクル４が完成する。
【００１０】
図４は、この光レセプタクル４と発光素子１８を固定した光レセプタクルモジュール３２である。発光素子１８にホルダー４４を抵抗溶接で固定し、光レセプタクル４を光軸位置調整した後、ＹＡＧ（Ｙｉｔｔｒｉｕｍ・Ａｌｕｍｉｎｉｕｍ・Ｇａｒｎｅｔ）溶接等でホルダー４４と固定する。なお、ホルダー４４は光軸方向に調整する機能を持たせるため、２体で構成される場合もある。
【００１１】
プラグフェルール６を割スリーブ８に挿して嵌合させた際の嵌合長は、Ｌ３である。割スリーブ８の全長は、Ｌ４であり、図１に示すように、Ｌ２とＬ３の和は、Ｌ４以下となる。なお、Ｌ２とＬ３の長さの比は、１：１である。
【００１２】
特許文献１に、フェルールの貫通孔に光ファイバを固定してなるフィバスタブの後端部をレセプタクルホルダーに固定し、ファイバスタブの先端面に接続されるプラグフェルールを保持し、且つ上記レセプタクルホルダーに固定したケースに収納するスリーブで、上記ファイバスタブの先端部を保持してなる光レセプタクルが開示されている。さらに、その光レセプタクルは、上記ファイバスタブの先端部の外周面は上記スリーブを介して上記ケースで把持されていることを特徴としている光レセプタクルが開示されている（特許文献１参照）。
【００１３】
【特許文献１】特開２００４−２５８１６４号公報
【発明の開示】
【発明が解決しようとする課題】
【００１４】
図１に示すように、割スリーブ８とレセプタクルホルダー１０との間には、若干のクリアランスがあり、割スリーブ８は、ファイバスタブ２と割スリーブとファイバスタブの嵌合面１４において、嵌合している。割スリーブ８の内径がファイバスタブ２の外径ｄ１よりも若干小さいため、割スリーブ８の内径を広げた状態でファイバスタブ２は割スリーブ８に嵌合している。つまり、割スリーブ８の弾性保持力で、ファイバスタブ２は割スリーブ８に嵌合している。
【００１５】
光レセプタクル４は、ファイバスタブ２を、レセプタクルホルダー１０に圧入させ、割スリーブ８に嵌合させた構造である。この光レセプタクル４は、例えば発光素子１８とホルダー４４に固定され、光レセプタクルモジュール３２となる。ここで、ファイバスタブ２の外径ｄ１は、光レセプタクルモジュール３２を使用するときに挿入されるプラブフェルール６の外径ｄ２と同じ規格で作成される。
【００１６】
プラグフェルール６を光レセプタクルモジュール３２に挿すと、プラグフェルール６は、割スリーブとプラグフェルールの嵌合面１６において割スリーブ８に嵌合する。割スリーブ８の内径がプラグフェルール６の外径ｄ２よりも若干小さいため、割スリーブ８の内径を広げた状態でプラグフェルール６は割スリーブ８に嵌合している。つまり、割スリーブ８の弾性保持力で、プラグフェルール６は割スリーブ８に嵌合している。
【００１７】
光レセプタクルモジュール３２を実際に使用する場合、プラグフェルール６を内蔵する光レセプタクル側光コネクタ２２が、光レセプタクル４に挿入され、光ケーブル２８を介して様々な機器へ接続される。その際、複数のコネクタが一つに束ねられ、各コネクタに負荷がかかることがある。その負荷は、プラグフェルール６に伝わり、光軸に垂直な方向にプラグフェルール６を動かす力として作用する。したがって、光軸に垂直な方向にプラグフェルール６を動かそうとする力が働いた場合、その力が割スリーブ８の弾性保持力に勝ったときに、割スリーブ８の内径が広がる。そして、割スリーブ８がプラグフェルール６を保持する力が弱くなり、プラグフェルール６がファイバスタブ２の光軸に対して傾きを生じ、結果的にファイバスタブ２との光軸がずれてしまう。
【００１８】
上記のように割スリーブ８は、レセプタクルホルダー１０との間にクリアランスがあるために、割スリーブ８はレセプタクルホルダー１０内において割スリーブ８の長さ方向に移動することができる。したがって、プラグフェルール６を割スリーブ８に挿して嵌合する際、割スリーブ８が、ファイバスタブ２のほうへ動き、割スリーブ８がファイバスタブ２と嵌合する長さ（Ｌ２）と割スリーブ８がプラグフェルール６と嵌合する長さ（Ｌ３）との比が、１：０．８となることがある。つまり、割スリーブ８がファイバスタブ２と嵌合する長さ（Ｌ２）のほうが、割スリーブ８がプラグフェルール６と嵌合する長さ（Ｌ３）よりも長いことになる。割スリーブ８がプラグフェルール６と嵌合する長さ（Ｌ３）が短くなると、割スリーブ８とプラグフェルール６の嵌合面１６が減少し、割スリーブ８がプラグフェルール６を保持する弾性保持力が小さくなってしまう。その結果、上記のように光軸に垂直な方向にプラグフェルール６を動かそうとする力が働いた時、その力が割スリーブ８の弾性保持力に勝り、割スリーブ８の内径が広がる。そして、割スリーブ８がプラグフェルール６を保持する力が弱くなり、プラグフェルール６が光軸に垂直な方向に動き、ファイバスタブ２との光軸がずれてしまう。
【００１９】
したがって、ファイバスタブ２の斜め研磨処理面２ｃの側に発光素子を取り付ける場合、その発光素子から出た光が、ファイバスタブ２の光ファイバ２ａに結合するが、ファイバスタブ２とプラグフェルール６の光軸のずれが生じていると、ファイバスタブ２の光ファイバ２ａから、プラグフェルール６の光ファイバ６ａへ結合される光は損失するのである。
【００２０】
つまり、割スリーブ８がファイバスタブ２と嵌合する長さ（Ｌ２）と割スリーブ８がプラグフェルール６と嵌合する長さ（Ｌ３）との比が１：１では、割スリーブ８がプラグフェルール６を保持する弾性保持力が弱く、ファイバスタブ２とプラグフェルール６との間で光軸ずれを起こし、光を損失してしまう問題が生じる。割スリーブ８がプラグフェルール６と嵌合する長さ（Ｌ３）のほうが、割スリーブ８がファイバスタブ２と嵌合する長さ（Ｌ２）よりも長いことが必要である。
【課題を解決するための手段】
【００２１】
本発明による光レセプタクルは、割スリーブと、フェルールの中心を通る貫通孔に第一光ファイバが挿入されて固定されたファイバスタブとを備えている。割スリーブは、割スリーブの第一の端面から、ファイバスタブを割スリーブの長さ方向に第一の距離まで嵌合し、割スリーブの第二の端面から、フェルールの中心を通る貫通孔に第二光ファイバが挿入されて固定されたプラグフェルールを割スリーブの長さ方向に第二の距離まで嵌合すると、第二の距離を第一の距離で除した値が、１．２から１．６の範囲となるように割スリーブの長さを定めた割スリーブである。
【００２２】
また、本発明による光レセプタクルは、割スリーブと、フェルールの中心を通る貫通孔に第一光ファイバが挿入されて固定されたファイバスタブとを備えている。割スリーブは、割スリーブの第一の端面から、ファイバスタブを割スリーブの長さ方向に第一の距離まで嵌合し、割スリーブの長さをファイバスタブ勘合長である前記第一の距離で除した値が、２．３から２．９の範囲となるように、割スリーブの長さは定められている。
【発明の効果】
【００２３】
本発明によれば、ファイバスタブとプラグフェルールとの光軸のずれを抑え、光の損失を抑えた光レセプタクル及びその光レセプタクルを用いた光レセプタクルモジュールが提供される。
【発明を実施するための最良の形態】
【００２４】
添付図面を参照して、本発明による光レセプタクル及びそれを用いた光レセプタクルモジュールを実施するための最良の形態を以下に説明する。
【００２５】
（実施形態）
図２は、本発明の光レセプタクルを示す断面図である。図２に示す光レセプタクル４の構成は従来の光レセプタクルと大きく変わるところはないが、割スリーブ８’の長さが異なる。また、従来の光レセプタクルとは、割スリーブ８’がファイバスタブ２と嵌合する長さ（Ｌ６）と割スリーブ８’がプラグフェルール６と嵌合する長さ（Ｌ７）との比が異なる。割りスリーブ８’の長さは例えば、５．２ｍｍが望ましい。プラグフェルール６の直径は、例えば１．２５ｍｍである。ファイバスタブ２は、レセプタクルホルダー１０に圧入されて、圧入面１２でファイバスタブ２とレセプタクルホルダー１０は強固に嵌合されている。一方、プラグフェルール６が光レセプタクル４に挿された際、プラグフェルール６は、割スリーブ８’に嵌合されているのみで、圧入ほど強固に嵌合されてはいない。そこで、ファイバスタブ２の光ファイバ２ａとプラグフェルール６の光ファイバ６ａとの光軸のずれを防止するために、割スリーブ８’がファイバスタブ２と嵌合する長さ（Ｌ６）よりも、割スリーブ８’がプラグフェルール６と嵌合する長さ（Ｌ７）のほうを長くする。具体的には、割スリーブ８’がファイバスタブ２と嵌合する長さ（Ｌ６）と割スリーブ８’がプラグフェルール６と嵌合する長さ（Ｌ７）の比は、１：１．２〜１．６の範囲と規定する。或いは、割スリーブ８’の長さ（Ｌ８）と割スリーブ８’がファイバスタブ２と嵌合する長さ（Ｌ６）との比を、２．３〜２．９：１の範囲と規定する。これらの範囲は、光軸ずれにより発生する光結合損失レベルを調べる試験を行い、求めたものである。その試験内容については後述する。
【００２６】
また、割スリーブ８’がファイバスタブ２と嵌合する長さ（Ｌ６）をファイバスタブ２の直径ｄ３で除した値についても、１．３以上と規定する。ファイバスタブ２は、割スリーブ８’とファイバスタブ２の嵌合面１４において割スリーブ８’に嵌合しているのであるが、割スリーブ８’がファイバスタブ２と嵌合する長さ（Ｌ６）が短いと、割スリーブ８’がファイバスタブ２を保持する力が弱く、割スリーブ８’の長さを前記規定値１：１．２〜１．６或いは２．３〜２．９：１の範囲になるようにしても、ファイバスタブ２の直径ｄ３、プラグフェルール６の直径ｄ４とのバランスが悪く、ファイバスタブ２とプラグフェルール６の光結合損失が増大する。そこで、光軸ずれにより発生する光結合損失レベルを調べる試験を行い、上記１．３という値を求めた。その試験内容については後述する。
【００２７】
図５は、光結合損失レベルを調べるための光ウイグル特性試験を説明するための図である。以下に、光ウイグル特性試験について説明する。試験体に相当する光レセプタクル４に、発光素子１８がＹＡＧ溶接等により結合される。光レセプタクル４と発光素子１８をあわせたものが、光レセプタクルモジュール３２である。なお、発光素子１８を受光素子に置き換えた場合、受光用の光レセプタクルモジュール３２となる。この光ウイグル特性試験においては、光レセプタクルモジュール３２は、発光素子１８を用いることとする。そして、光レセプタクル４は、光レセプタクル側光コネクタ２２との接続用の固定治具２０に固定される。さらに、プラグフェルール６を有する光レセプタクル側光コネクタ２２が固定治具２０の光レセプタクル４の反対側から固定される。この光レセプタクル側光コネクタ２２は光ケーブル２８に接続され、その片側には、光パワーメータ側光コネクタ２４が同様に接続されている。この光パワーメータ側光コネクタ２４は、光パワーメータ２６に接続し、光レセプタクルモジュール３２からの光出力を測定する。
【００２８】
光レセプタクル側光コネクタ２２の端（重り位置起点３４）から１ｍの長さの位置を重り位置３６として、重り３０を光ケーブル２８に取り付ける。重り３０の重さは、３５０ｇｆとした。
【００２９】
この重りの負荷が、プラグフェルール６にかかり、ファイバスタブ２とプラグフェルール６の光軸のずれが生じる。その光軸のずれが生じると、発光素子１８から出た光結合損失が生じ、光パワーメータ２６でその損失を測定することができる。
【００３０】
光ウイグル特性試験を実施する際、固定治具２０は、水平からの傾き角度４２を４５度として固定される。更に、発光素子１８から光を出力させたまま、光軸相当軸３８を中心として、３６０度の範囲の回転角度４０を固定治具２０に与えて固定治具２０を回転させる。まず、固定治具２０が回転する前の状態で、光のパワーを光パワーメータ２６で測定し、その測定値を初期値とする。そして、固定治具２０に回転角度４０を与えながら、光のパワーの変化を光パワーメータ２６で測定する。固定治具２０が、３６０度回転するまでに最も低かった光のパワーの値を求め、初期値との光出力差を、光ウイグル損失とする。光ウイグル損失の単位は、ｄＢである。光ウイグル損失の値が小さいほど、重り３０の負荷の影響をプラグフェルール６が受けにくく、光レセプタクル側光コネクタ２２と光レセプタクルモジュール３２の光結合が負荷に対して、安定していることになる。
【００３１】
図６に、光ウイグル特性試験において、割スリーブ８’に対するファイバスタブ嵌合長（Ｌ６）と割スリーブ８’に対するプラグフェルール嵌合長（Ｌ７）の比を変えた場合の光ウイグル損失の測定結果を示す。上記のように、光ウイグル損失が小さいほうが、光ケーブル２８への機械的負荷に対して、安定な光結合特性を有する。したがって、光ウイグル損失の閾値を０．３ｄＢ以下とし、さらに安全率を考慮して、割スリーブ８’に対するファイバスタブ嵌合長（Ｌ６）と割スリーブ８’に対するプラグフェルール嵌合長（Ｌ７）の比Rの下限は１：１．２が望ましい。またL６が大きくなりすぎると、プラグフェルール６に負荷をかけたとき、プラグフェルール６の嵌合している部分での撓みが大きくなる。本試験の結果より、Rの上限は１：１．６とするのが望ましい。光レセプタクルモジュール３２にとっては、光ウイグル損失を０．３ｄＢ程度以下に抑えることが求められるが、より安定した光結合特性を満たすために、できるだけ低い光ウイグル損失が好ましいため安全率を考慮した。
【００３２】
図６の測定結果は、光ウイグル損失の割スリーブ８’の長さ（Ｌ８）と割スリーブ８’に対するファイバスタブ嵌合長（Ｌ６）との比として表すことも出来る。図7に、光ウイグル特性試験において、割スリーブ８’の長さ（Ｌ８）と割スリーブ８’に対するファイバスタブ嵌合長（Ｌ６）との比を変えた場合の光ウイグル損失の測定結果を示す。光ウイグル損失は０．３ｄＢ程度以下に抑えることが求められるが、より安定した光結合特性を満たす必要がある。できるだけ低い光ウイグル損失が好ましいため安全率を考慮すると、割スリーブ８’の長さ（Ｌ８）と割スリーブ８’に対するファイバスタブ嵌合長（Ｌ６）との比は、２．３〜２．９：１の範囲とするのが望ましい。
【００３３】
図８に、光ウイグル特性試験において、割スリーブ８’の長さに対するファイバスタブ２の嵌合長（Ｌ６）とファイバスタブ２の直径ｄ４の比を変えた場合の光ウイグル損失の測定結果を示す。割スリーブ８’に対するファイバスタブ２の嵌合長（Ｌ６）とファイバスタブ２の直径ｄ３の比が、大きくなるにつれて、光ウイグル損失は、小さくなる。上記のように、光ウイグル損失が小さいほうが、光ケーブル２８への機械的負荷に対して、安定な光結合特性を有する。したがって、光ウイグル損失の閾値を０．３ｄＢ以下とし、さらに安全率を考慮して、割スリーブ８’に対するファイバスタブ２の嵌合長（Ｌ６）とファイバスタブ２の直径ｄ３の比は、１．３以上とするのが望ましい。光レセプタクルモジュール３２にとっては、光ウイグル損失は０．３ｄＢ程度以下に抑えることが求められるが、より安定した光結合特性を満たすために、できるだけ低い光ウイグル損失が好ましいため安全率を考慮した。
【図面の簡単な説明】
【００３４】
【図１】従来の光レセプタクルを示す断面図。
【図２】本発明の光レセプタクルを示す断面図。
【図３】割スリーブの外観斜視図。
【図４】光レセプタクルモジュールの斜視図（光レセプタクル部分は断面図）。
【図５】光ウイグル特性試験を説明するための図。
【図６】光ウイグル特性試験において、割スリーブに対するファイバスタブ 嵌合長と割スリーブに対するプラグフェルール嵌合長の比を変えた場合の光ウイグル損失の測定結果を示す図。
【図７】光ウイグル特性試験において、割スリーブの長さを、割スリーブに対するファイバスタブ嵌合長で除した値を変えた場合の光ウイグル損失の測定結果を示す図。
【図８】光ウイグル特性試験において、割スリーブに対するファイバスタブの嵌合長とファイバスタブの直径の比を変えた場合の光ウイグル損失の測定結果を示す図。
【符号の説明】
【００３５】
２    ：ファイバスタブ
２ａ  ：光ファイバ
２ｂ  ：フェルール
２ｃ  ：斜め研磨処理面
２ｄ  ：ＰＣ研磨処理面
４    ：光レセプタクル
６    ：プラグフェルール
６ａ  ：光ファイバ
６ｂ  ：フェルール
８    ：割スリーブ
８ａ  ：スリット部
８’  ：割スリーブ
１０  ：レセプタクルホルダー
１２  ：圧入面
１４  ：割スリーブとファイバスタブの嵌合面
１６  ：割スリーブとプラグフェルールの嵌合面
１７  ：テーパー部
１８  ：発光素子
２０  ：固定治具
２２  ：光レセプタクル側光コネクタ
２４  ：光パワーメータ側光コネクタ
２６  ：光パワーメータ
２８  ：光ケーブル
３０  ：重り
３２  ：光レセプタクルモジュール
３４  ：重り位置起点
３６  ：重り位置
３８  ：光軸相当軸
４０  ：回転角度
４２  ：傾き角度
４４  ：ホルダー
【図１】
2008077063.tif 000003
【図２】
2008077063.tif 000004
【図３】
2008077063.tif 000005
【図４】
2008077063.tif 000006
【図５】
2008077063.tif 000007
【図６】
2008077063.tif 000008
【図７】
2008077063.tif 000009
【図８】
2008077063.tif 000010